(57)【要約】【課題】胸部を冷却する性能が高い空調衣服を提供する。【解決手段】本発明は、少なくとも上半身を覆う衣服本体と、衣服本体の後身頃の下部に配置されている一つ又は複数の空気取入れ口と、空気取入れ口と着脱可能に連結され、外部から衣服内に空気を強制的に取り込む風発生装置１とを備え、衣服本体を平らに置いた時、前中心線上に位置し、線１１と襟ぐり線１２の交点であるサイドネックポイントＳＮＰからの垂直距離が２５ｃｍ以上３５ｃｍ以下の展開起点から、左前身頃の中心線側縁端部１５は右方向に向けて湾曲しており、右前身頃の中心線側縁端部１５は左方向に向けて湾曲しており、前中心線１３と襟ぐり線１２の交点であるＡ点から左右の前身頃の中心線側縁端部１５までの垂直距離がそれぞれ１ｃｍ以上２．５ｃｍ以下である空調衣服に関する。【選択図】図６
2019011524.tif 000002
【特許請求の範囲】
【請求項１】
少なくとも上半身を覆う衣服本体と、
前記衣服本体の後身頃の下部に配置されている一つ又は複数の空気取入れ口と、前記空気取入れ口と着脱可能に連結され、外部から衣服内に空気を強制的に取り込む風発生装置とを備え、
前記衣服本体を平らに置いた時、前中心線上に位置し、肩折れ線と襟ぐり線の交点であるサイドネックポイントからの垂直距離が２５ｃｍ以上３５ｃｍ以下の展開起点から、左前身頃の中心線側縁端部は右方向に向けて湾曲しており、右前身頃の中心線側縁端部は左方向に向けて湾曲しており、前中心線と襟ぐり線の交点であるＡ点から左右の前身頃の中心線側縁端部までの距離がそれぞれ１ｃｍ以上２．５ｃｍ以下であることを特徴とする空調衣服。
【請求項２】
少なくとも上半身を覆う衣服本体と、
前記衣服本体の後身頃の下部に配置されている一つ又は複数の空気取入れ口と、前記空気取入れ口と着脱可能に連結され、外部から衣服内に空気を強制的に取り込む風発生装置とを備え、
前記後身頃の内側には空気取入れ口を覆うようにポケットが設けられており、前記ポケットの上部の脇側には脇側空気排出口が設けられていることを特徴とする空調衣服。
【請求項３】
前記後身頃の内側には空気取入れ口を覆うようにポケットが設けられており、前記ポケットの上部の脇側には脇側空気排出口が設けられている請求項１に記載の空調衣服。
【請求項４】
前記空気取り入れ口は二個であり、左右の後身頃の側部に対称的に配置されている請求項１〜３のいずれか１項に記載の空調衣服。
【請求項５】
前中心線と襟ぐり線の交点から前記展開起点までの垂直距離が１０ｃｍ以上２４ｃｍ以下である請求項１、３及び４のいずれか１項に記載の空調衣服。
【請求項６】
左右の前身頃の中心線側縁端部の湾曲角度は、それぞれ９５°以上１２０°以下である請求項１、３〜５のいずれか１項に記載の空調衣服。
【請求項７】
前記空気取入れ口の中心点と前記脇側空気排出口と前記衣服本体と二つの接点をそれぞれ結んだ二つの線分のなす角度が７°以上１０５°以下である請求項２〜６のいずれか１項に記載の空調衣服。
【請求項８】
前記ポケットの上部の中心側には中心側空気排出口が設けられている請求項２〜７のいずれか１項に記載の空調衣服。
【請求項９】
前記空気取入れ口の中心点と前記中心側空気排出口と前記衣服本体と二つの接点をそれぞれ結んだ二つの線分のなす角度が９°以上８５°以下である請求項２〜８のいずれか１項に記載の空調衣服。
【請求項１０】
前記ポケットは、中心側において前記衣服本体と着脱可能に結合している請求項２〜９のいずれか１項に記載の空調衣服。
【発明の詳細な説明】
【技術分野】
【０００１】
本発明は、衣服内に外気を流通させることできる空調衣服に関する。
【背景技術】
【０００２】
近年、高温下で作業する場合や高温下で生活する場合に、衣服内に外気を流通させて身体を冷却するように設計された空調衣服が提案されている。例えば、特許文献１には、風発生装置と、風発生装置を装着する取付け孔とを備え、風発生装置が取付け孔に対して斜め下方向に５°〜３５°傾斜して装着されている冷却衣服が提案されている。特許文献２には、服本体の襟部及び両袖口部には第一空気排出部が設けられ、腹に対応する服本体の部位であって開閉手段に対して右側の部位及び左側の部位には第二空気排出部が設けられている空調衣服が提案されている。
【先行技術文献】
【特許文献】
【０００３】
【特許文献１】特許第５９５８９２３号公報
【特許文献２】国際公開公報２０１６/１７０６２６号
【発明の概要】
【発明が解決しようとする課題】
【０００４】
特許文献１に記載の空調衣服では、衣服内に取り込まれた外気は、襟部や両袖口部等を介して外部に排出される。特許文献２に記載の空調衣服では、衣服内に取り込まれた外気は、服本体の襟部及び両袖口部に設けられた第一空気排出部や、腹に対応する服本体の部位であって開閉手段に対して右側の部位及び左側の部位に設けられている第二空気排出部等を介して外部に排出される。
【０００５】
一方、図１７（第６４回日本生理人類学会、２０１１年６月１２日、「運動時における発汗量の身体部位差：吸水材を用いて」、井上芳光）に示されているように、身体の前面において、発汗の部位は胸部に集中している。特許文献１〜２に記載の空調服を含む従来の空調衣服では、胸部を流通する空気が不十分であり、胸部を冷却する効果が低いという問題があった。
【０００６】
本発明は、上記従来の問題を解決するため、胸部を冷却する性能が高い空調衣服を提供する。
【課題を解決するための手段】
【０００７】
本発明は、少なくとも上半身を覆う衣服本体と、前記衣服本体の後身頃の下部に配置されている一つ又は複数の空気取入れ口と、前記空気取入れ口と着脱可能に連結され、外部から衣服内に空気を強制的に取り込む風発生装置とを備え、前記衣服本体を平らに置いた時、前中心線上に位置し、肩折れ線と襟ぐり線の交点であるサイドネックポイントからの垂直距離が２５ｃｍ以上３５ｃｍ以下の展開起点から、左前身頃の中心線側縁端部は右方向に向けて湾曲しており、右前身頃の中心線側縁端部は左方向に向けて湾曲しており、前中心線と襟ぐり線の交点であるＡ点から左右の前身頃の中心線側縁端部までの距離がそれぞれ１ｃｍ以上２．５ｃｍ以下であることを特徴とする空調衣服に関する。
【０００８】
本発明は、また、少なくとも上半身を覆う衣服本体と、前記衣服本体の後身頃の下部に配置されている一つ又は複数の空気取入れ口と、前記空気取入れ口と着脱可能に連結され、外部から衣服内に空気を強制的に取り込む風発生装置とを備え、前記後身頃の身体側には空気取入れ口を覆うようにポケットが設けられており、前記ポケットの上部の脇側には脇側空気排出口が設けられていることを特徴とする空調衣服に関する。
【発明の効果】
【０００９】
本発明は、胸部を冷却する性能が高い空調衣服を提供することができる。
【図面の簡単な説明】
【００１０】
【図１】図１は本発明の一例の空調衣服の模式的正面図である。
【図２】図２は同模式的背面図である。
【図３】図３は同模式的裏面図である。
【図４】図４は本発明の一例の空調衣服の模式的側面図である。
【図５】図５Ａは本発明の一例の空調衣服における衣服本体の右前身頃と襟部の模式的パターン図であり、図５Ｂは同左前身頃と襟部の模式的パターン図である。
【図６】図６は本発明の一例の空調衣服を平らに置いた時の前身頃の上部と襟部の模式的部分図である。
【図７】図７は本発明の一例の空調衣服を平らに置いた時の左前身頃の上部の模式的部分図である。
【図８】図８は本発明の一例の空調衣服の模式的正面図である。
【図９】図９は同模式的背面図である。
【図１０】図１０は同模式的裏面図である。
【図１１】図１１は同後身頃の模式的パターン図である。
【図１２】図１２は本発明の一例の空調衣服の模式的正面図である。
【図１３】図１３は同模式的背面図である。
【図１４】図１４は同模式的裏面図である。
【図１５】図１５は本発明の一例の空調衣服の側面図である。
【図１６】図１６Ａは本発明の一例の空調衣服における衣服本体の右前身頃と襟部の模式的パターン図であり、図１６Ｂは同左前身頃と襟部の模式的パターン図である。
【図１７】図１７は人体の上半身における発汗量を示す模式図である。
【図１８】図１８Ａ−Ｂは、風速計の取り付け位置を説明する模式図である。
【発明を実施するための形態】
【００１１】
本発明者らは、空調衣服において、胸部を冷却する性能を高めることについて鋭意検討した。その結果、少なくとも上半身を覆う衣服本体と、前記衣服本体の後身頃の下部に配置されている一つ又は複数の空気取入れ口と、前記空気取入れ口と着脱可能に連結され、外部から衣服内に空気を強制的に取り込む風発生装置とを備えた空調衣服において、前記衣服本体を平らに置いた時、前中心線上に位置し、肩折れ線と襟ぐり線の交点であるサイドネックポイントからの垂直距離が２５ｃｍ以上３５ｃｍ以下の展開起点から、左前身頃の中心線側縁端部を右方向に向けて湾曲させ、右前身頃の中心線側縁端部は左方向に向けて湾曲させて、前中心線と襟ぐり線の交点であるＡ点から左右の前身頃の中心線側縁端部までの距離をそれぞれ１ｃｍ以上２．５ｃｍ以下にすることで、首近辺の胸部と衣服の間の空間が大きくなり、それゆえ、空気が前首元を通りやすくなり、胸部を冷却する性能が高められることを見出した。通常、上半身に着用する衣服においては、胸元と衣服を密着させることで衣服を支えているが、本願では、肩部で衣服を支え、通常とは逆に胸元と衣服の間に空間を設けることで、胸部を冷却する性能を高めている。
【００１２】
本発明者らは、また、少なくとも上半身を覆う衣服本体と、前記衣服本体の後身頃の下部に配置されている一つ又は複数の空気取入れ口と、前記空気取入れ口と着脱可能に連結され、外部から衣服内に空気を強制的に取り込む風発生装置とを備えた空調衣服において、前記後身頃の身体側には空気取入れ口を覆うようにポケットを設け、前記ポケットの上部の脇側に脇側空気排出口を設けることにより、空気が脇下を通って胸部に輸送しやすくなり、胸部を冷却する性能が高められることを見出し、本発明に至った。
【００１３】
前記空調衣服は、少なくとも上半身を覆うものであればよく、特に限定されないが、冷却効果を高める観点から、ブルゾン型にすることができる。
【００１４】
以下、図面に基づいて、本発明の１以上の実施形態に係る空調衣服を説明する。しかし、本発明は、これらの図面に示されるものに限定されない。
【００１５】
図１は、本発明の一例の空調衣服（ブルゾン型）の模式的正面図である。図２は、同模式的背面図である。図３は同背面の模式的裏面図である。該実施形態の空調衣服１は、少なくとも上半身を覆う衣服本体２と、衣服本体２の後身頃の下部の側部に配置されている左右対称に配置された一対の空気取入れ口３と、それぞれの空気取入れ口３と着脱可能に連結され、外部から衣服内に空気を強制的に取り込む風発生装置４とを備える。また、風発生装置４に電力を供給する電源装置５と、風発生装置４と電源装置５を接続するための電力供給ケーブル６を備える。該実施形態の空調衣服１は、美観及び衣服内の空気の流れを良好にする観点から、一対の空気取入れ口３を有するが、空気取入れ口は１つであってもよく、三つ以上であってもよい。空気取入れ口３の周縁部には、樹脂製の固定リング３１が設けられ、固定リング３１を介して、ファン等の風発生装置４が空気取入れ口３に固定される。固定リングは、シリコン樹脂（シリコーン）、ポリプロピレン、ポリエステル、ポリエチレン等の樹脂で構成することができる。
【００１６】
風発生装置４は、外部から空気を衣服内に取り込んで、身体（或いは下着）と衣服の間の空間に空気の流れを強制的に生じさせるものである。風発生装置４としては、特に限定されず、例えば、ファンを用いることができる。前記ファンとしては、特に限定されず、例えば、従来の空調衣服に用いられるものと同じものを用いることができる。例えば、ファンは、ファン本体と、ファンを衣服本体に取り付けるための取付けリングを備えており、ファン本体を、衣服本体に設けられた空気取入れ口３に差込み、空気取入れ口３のリング部３１にファン本体に設けた上側フックとコネクタ部でファン取付け部を固定することで、ファンを衣服本体に取り付けることができる。
【００１７】
電源装置５は、特に限定されないが、携帯できる電源であればよく、特に限定されない。例えば、充電式電池や乾電池などを用いることができ、繰り返し使用可能である観点から、充電式電池を用いることが好ましい。充電式電池としては、例えば、リチウムイオン二次電池などを用いることができる。空調衣服１を着用する際には、電源装置５は衣服本体２の後身頃の下部の中央部分に設けられた収納ポケット７に収納されてもよい。
【００１８】
衣服本体２は、襟部、左右の前身頃、後身頃、左右の袖部、裾部を有する。裾部は、空気の漏れを防止する観点から、ゴム紐等の伸縮性素材で構成されてもよい。また、左右の前身頃は結合部材８によって開閉可能に連結されている。結合部材８としては、衣服内の空気の圧力を高める観点から、例えば、チャックやファスナー等を用いることが好ましい。
【００１９】
空調衣服１を着用し、風発生装置４を可動させると、外部から空気が空調衣服１内に取り込まれ、図３において矢印で示しているように、外部から空気が空調衣服１内に取り込まれた空気は、衣服本体２と身体（又は下着）の間の空間において、身体（又は下着）の表面にそって上方に流通し、襟部の周囲及び袖口から外部に排出される。
【００２０】
図５Ａは本発明の一実施形態の空調衣服における衣服本体の右前身頃と襟部のパターン図であり、図５Ｂは同左前身頃と襟部のパターン図である。図５Ａに示されているように、右前身頃の中心線側縁端部１５は、所定の位置の展開基点から左方向に向けて湾曲している。図５Ｂに示されているように、左前身頃の中心線側縁端部１５は、所定の位置の展開基点から右方向に向けて湾曲している。図４は、左右前身頃の中心線側縁端部が上述したように湾曲した場合の空調衣服の側面図である。
【００２１】
図１６Ａは一例の空調衣服における衣服本体の右前身頃と襟部のパターン図であり、図１６Ｂは同左前身頃と襟部のパターン図である。従来は、通常、図１６Ａ及び図１６Ｂに示されているように、左右前身頃の中心線側縁端部３１５は湾曲せず、裾部から首部に向かって真っすぐ延びる。図１５は、左右前身頃の中心線側縁端部が裾部から首部に向かって真っすぐ延びた場合の空調衣服の側面図である。
【００２２】
図４及び図１５に示されているように、左右前身頃の中心線側縁端部が上述したように湾曲した場合、左右前身頃の中心線側縁端部が裾部から首部に向かって真っすぐ延びた場合に比べて、首近辺において、胸部（又は下着）と衣服本体の間の空間が大きくなり、それゆえ、空気が前首元を通りやすくなり、胸部を冷却する性能が高められる。図４及び１５は首近辺に対する説明のための側面図であり、それ以外の部分については詳細を省略したものである。
【００２３】
図６は、衣服本体を平らに置いた時の前身頃の上部と襟部の模式的部分図である。本発明の１以上の実施形態において、図６に示されているように、衣服本体を平らに置いた時、肩折れ線１１と襟ぐり線１２の交点であるサイドネックポイントＳＮＰから展開基点までの垂直距離Ｌａは２５ｃｍ以上３５ｃｍ以下であり、２６ｃｍ以上３５ｃｍ以下であることが好ましく、より好ましくは２７ｃｍ以上３５ｃｍ以下である。Ｌａが上述した範囲内であると、胸部（或いは胸部を覆う下着）と衣服の間の空間が大きくなり、空気が胸部を通り前首元から抜けやすくなり、胸部を冷却する性能が高まる。なお、ＳＮＰから展開基点までの垂直距離Ｌａは、ＳＮＰを通り前中心線１３に直交する線と、展開基点を通り前中心線１３に直交する線間の最短直線距離である。
【００２４】
本発明の１以上の実施形態において、図６に示されているように、前中心線と襟ぐり線の交点であるＡ点から左右の前身頃の中心線側縁端部までの距離は、それぞれ、前中心線１３と襟ぐり線１２の交点であるＡ点と、Ａ点を通り前中心線１３と直交する線１４と左右の前身頃の中心線側縁端部１５の交点Ｂ点をそれぞれ結んだ線分の長さＬｂである。Ｌｂ（Ａ点とＢ点を結んだ線分の長さ）はそれぞれ１ｃｍ以上２．５ｃｍ以下であり、好ましくは１ｃｍ以上１．５ｃｍ以下である。Ｌｂが上述した範囲内であると、前首元と衣服の間の空間が大きくなり、空気が前首元を通りやすくなり、胸部を冷却する性能が高まる。
【００２５】
本発明の１以上の実施形態において、図６に示されているように、前中心線と襟ぐり線の交点であるＡ点から前記展開起点までの距離Ｌｃが１０ｃｍ以上２４ｃｍ以下であることが好ましく、１１ｃｍ以上２４ｃｍ以下であることがより好ましい。Ｌｃが上述した範囲内であると、前首元と衣服の間の空間が大きくなあり空気が前首元を通りやすくなり、前身頃上部の汗の気化が促され、クーリング性を得ることができる。なお、本発明では、サイドネックポイントＳＮＰとＡ点の垂直距離が１０ｃｍを超えるように、ＬａとＬｃを選択するものとする。
【００２６】
本発明の１以上の実施形態に係る空調衣服において、左右の前身頃の中心線側縁端部の湾曲角度は、それぞれ９５°以上１２０°以下であることが好ましく、１００°以上１１５°以下であることがより好ましい。本発明の１以上の実施形態に係る空調衣服において、前身頃の中心線側縁端部の湾曲角度は、図７に示されているように、Ａ点とＢ点を結ぶ線分と、Ｂ点と襟先点を結んだ線分のなす角度αで示される。なお、図７は、左前身頃の部分図であるが、右前身頃でも同じである。左右前身頃の中心線側縁端部の湾曲角度が上述した範囲であると、前首元と衣服の間の空間が大きくなあり空気が前首元を通りやすくなり、前身頃上部の汗の気化が促され、クーリング性を得ることができる。
【００２７】
本発明の１以上の実施形態に係る空調衣服において、前記後身頃の内側には空気取入れ口を覆うようにポケットが設けられており、前記ポケットの上部の脇側には脇側空気排出口が設けられていることが好ましい。空気が脇下を通って胸部に輸送しやすくなり、胸部を冷却する性能がさらに高まる。
【００２８】
図８は本発明の一例の空調衣服（ブルゾン型）の模式的正面図であり、図９は同背面図であり、図１０は同裏面図であり、図１１は同後身頃のパターン図である。図８〜１１では、図１〜３と同一の部分には同一の符合を付けており、重複する説明は省略する。また、図８〜１０と図１〜３において同一の部分は、同様の機能を有する。該実施形態の空調衣服２００は、後身頃が空調衣服１と異なる以外は、その他の部分は同じである。該実施形態の空調衣服２００は、後身頃の内側において空気取入れ口を覆うように設けられたポケット２０１と、ポケット２０１の上部の脇側に設けられた脇側空気排出口２０２と、ポケット２０１の上部の中心側に設けられた中心側空気排出口２０３を備えている。空気取入れ口に取り付けられた風発生装置４が空気取入れ口３に取り付けられた場合、ポケット２０１が風発生装置４を覆うため、風発生装置４によって外部から空気が空調衣服１内に取り込まれた空気は、図１０において矢印で示しているように、主に脇側空気排出口２０２及び中心側空気排出口２０３から排出される。脇側空気排出口２０２から排出された空気は脇下を通って胸部に輸送されやすく、中心側空気排出口２０３から排出された空気は背中上部に輸送されやすい。それゆえ、発汗量が多い胸部及び背中上部へ空気が流れやすく、冷却効果が高まる。風発生装置４の着脱を容易にする観点から、ポケット２０１は中心側においてファスナーなどの着脱手段２０４によって衣服本体に着脱可能に結合していることが好ましい。ポケット２０１は、脇側空気排出口２０２、中心側空気排出口２０３及び着脱手段２０４を除いたその他の辺は、衣服本体２に糸によって縫着してもよく、熱融着や接着剤による圧着加工で衣服本体２に固定してもよい。図１１において、２３は後中心線を指す。
【００２９】
図１１に示されているように、脇側空気排出口の開口角度は、空気取入れ口３の中心点２１０と、脇側空気排出口２０２と衣服本体２との二つの接点をそれぞれ結んだ二つの線分２１１と２１２のなす角度βで表される。脇側空気排出口の開口角度は、７°以上１０５°以下であることが好ましい、より好ましくは２０°以上１００°以下であり、さらに好ましくは３０°以上９５°以下である。脇側空気排出口の開口角度が上述した範囲内であると、外部から取り込んだ空気を勢い良く排出する事ができる。脇側空気排出口２０２の一部が少なくともポケット２０１の上部に配置されることにより、より効果的に発汗量が多い胸部へ流すことができる。
【００３０】
図１１に示されているように、中心側空気排出口の開口角度は、空気取入れ口３の中心点２１０と、中心側空気排出口２０３と衣服本体２の二つの接点をそれぞれ結んだ二つの線分２１３及び２１４のなす角度γで表される。中心側空気排出口の開口角度は、９°以上８５°以下であることが好ましく、より好ましくは１５°以上７５°以下であり、さらに好ましくは２０°以上７０°以下である。中心側空気排出口の開口角度が上述した範囲内であると、外部から取り込んだ空気を勢い良く排出する事ができる。中心側空気排出口２０３の一部が少なくともポケット２０１の上部に配置されることにより、より効果的に発汗量が多い背部上部へ流すことができる。
【００３１】
脇側空気排出口２０２の脇側長さＬｘは、１．５ｃｍ以上であることが好ましく、５ｃｍ以上であることがより好ましく、７ｃｍ以上であることがさらに好ましい。また、脇側空気排出口２０２の脇側長さＬｘは、脇丈Ｌｗの５０％以下であることが好ましく、４０％以下であることがより好ましく、３０％以下であることがさらに好ましい。脇側空気排出口の脇側長さが上述した範囲内であると、胸部へ空気が流れやすくなる。
【００３２】
ポケット２０１の長さＬｙは、空気取入れ口３の直径（ファン等の風発生装置４の直径と同等）の１２０％以上であることが好ましく、１４０％以上であることがより好ましく、１６０％以上であることがさらに好ましい。また、ポケット２０１の長さＬｙは、後中心丈Ｌｚの５０％以下であることが好ましく、４０％以下であることがより好ましい。ポケット２０１の幅Ｗｐは、空気取入れ口３の直径（ファン等の風発生装置４の直径と同等）の１２０％以上であることが好ましく、１４０％以上であることがより好ましく、１６０％以上であることがさらに好ましい。また、ポケット２０１の幅Ｗｐは、後裾巾Ｗｚの５０％以下であることが好ましく、４０％以下であることがより好ましい。ポケットの長さ及び幅が上述した範囲内であると、風発生装置４による空気の取り込みが良好になる。ポケットは、長さ方向及び幅方向のいずれにおいても、折り畳んだ構造であってもよい。ポケットが折り畳んだ構造の場合、長さ及び幅は、折り畳まれた状態での長さ及び幅を意味する。ファン等の風発生装置４の直径は、風取り込み力及び着用感を両立する観点から、３ｃｍ以上１５ｃｍ以下であることが好ましく、より好ましくは５ｃｍ以上１２ｃｍ以下である。
【００３３】
図１２は本発明の一例の空調衣服（ブルゾン型）の正面図であり、図１３は同背面図であり、図１４は同裏面図である。図１２〜１４では、図８〜１０と同一の部分には同一の符合を付けており、重複する説明は省略する。また、図１２〜１４と図８〜１０において同一の部分は、同様の機能を有する。そして、該実施形態の空調衣服において、後身頃のパターン図は図１１と同じであることから、省略する。実施形態の空調衣服３００において、衣服本体３０１の前身頃が、空調衣服２００と異なる以外は、他の部分は図８〜図１１に示されている空調衣服と同じ構成である。衣服本体３０１は、襟部、左右の前身頃、後身頃、左右の袖部、裾部を有する。裾部は、空気の漏れを防止する観点から、ゴム紐等の伸縮性素材で構成されることが好ましい。また、左右の前身頃は結合部材８によって開閉可能に連結されている。結合部材８としては、衣服内の空気の圧力を高める観点から、例えば、チャックやファスナー等を用いることが好ましい。
【００３４】
図１６Ａは該実施形態の空調衣服における衣服本体の右前身頃と襟部のパターン図であり、図１６Ｂは同左前身頃と襟部のパターン図である。図１６Ａ及び図１６Ｂに示されているように、該実施形態において、左右前身頃の中心線側縁端部は湾曲せず、裾部から首部に向かって真っすぐ延びる。図１５は、左右前身頃の中心線側縁端部が裾部から首部に向かって真っすぐ延びた場合の空調衣服の側面図である。
【００３５】
該実施形態の空調衣服３００は、後身頃の内側において空気取入れ口を覆うように設けられたポケット２０１と、ポケット２０１の上部の脇側に設けられた脇側空気排出口２０２と、ポケット２０１の上部の中心側に設けられた中心側空気排出口２０３を備えている。ポケット２０１が空気取入れ口に取り付けられた風発生装置４を覆うため、風発生装置４によって外部から空気が空調衣服１内に取り込まれた空気は、図１４において矢印で示しているように、主に脇側空気排出口２０２及びから中心側空気排出口２０３から排出される。脇側空気排出口２０２から排出された空気は脇下を通って胸部に輸送されやすく、中心側空気排出口２０３から排出された空気は背中上部に輸送されやすい。それゆえ、発汗量が多い胸部及び背中上部へ空気が流れやすく、冷却効果が高まる。
【００３６】
衣服本体及びポケットに用いる素材としては、特に限定されず、織物や編物などを用いることができる。生地の断面方向の通風抑制の観点から、織物の方が好ましい。上記織物としては、特に限定されず、一重織り組織でもよく、二重織り組織でもよい。例えば、平織、斜文織、朱子織、変化平織、変化斜文織、変化朱子織、変わり織、紋織、片重ね織、二重組織、多重組織、経パイル織、緯パイル織、絡み織などが挙げられる。前記生地を構成する繊維としては、特に限定されず、例えばポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。前記素材は、特に限定されないが、例えば、目付けが２０〜３００ｇ／ｍ2の範囲が好ましく、５０〜２５０ｇ／ｍ2の範囲であることがより好ましい。目付が上記の範囲であれば、耐久性も良く、軽くて動きやすい利点がある。
【実施例】
【００３７】
以下実施例を用いて本発明をさらに具体的に説明する。なお、本発明は下記の実施例に限定されるものではない。
【００３８】
（実施例１）
衣服本体の前身頃、後身頃、襟、袖部には生地（平織り、ポリエステル繊維７７質量％、綿２３質量％、目付け１５６ｇ/ｍ2）を用い、空気取入れ口３は直径が１０ｃｍの円形とし、空気取入れ口３の固定リング３１はシリコン樹脂で形成し、風発生手段４として直径が１０ｃｍのファン（サンエス社製、品名「ファンセット薄型ＲＤ９７１０Ａ」、羽の直径８０ｍｍ、羽の枚数５枚、供給電力７Ｖ、２Ａ）を用い、電源装置５としてリチウムイオン電池（サンエス社製、品名「リチウムイオンバッテリーＲＤ９８７０ＡＪ」）を用い、電力供給ケーブル６としてケーブル（サンエス社製、品名「ファンセット薄型ＲＤ９７１０Ａ」）を用い、図１〜３に示すようなブルゾン型の空調衣服１（ＪＡＳＰＯ規格Ｌサイズ）を作製した。空調衣服１において、Ｌａは２６．５ｃｍであり、Ｌｂは１．５ｃｍであり、Ｌｃは１６．５ｃｍであり、左右の前身頃の中心線側縁端部の湾曲角度は、それぞれ１１２°であった。
【００３９】
（実施例２）
生地（平織り、ポリエステル繊維７７質量％、綿２３質量％、目付け１５６ｇ/ｍ2）を用いてポケット２０１を設け、襟部後ろ側の切り替えを図９に示したとおりにした以外は、実施例１と同様にして、図８〜１１に示すようなブルゾン型の空調衣服２００（ＪＡＳＰＯ規格Ｌサイズ）を作製した。空調衣服２００において、Ｌａは２６．５ｃｍであり、Ｌｂは１．５ｃｍであり、Ｌｃは１６．５ｃｍであり、左右の前身頃の中心線側縁端部の湾曲角度は、それぞれ１１２°であった。また、空調衣服２００において、ポケット２０１は、脇側及裾側は衣服本体に縫着されており、中心側はファスナーで衣服本体に着脱可能に結合し、上部には脇側空気排出口及び中心側空気排出口が設けられていた。ポケット２０１の長さＬｙは２８ｃｍ（後中心丈Ｌｚの４０％）であり、幅Ｗｐは２２．５ｃｍ（後裾巾Ｗｚの３７．５％）であった。脇側空気排出口２０２の開口角度βは７０°であり、脇側長さＬｘは７ｃｍ（脇丈Ｌｗの２３％）であり、中心側空気排出口の開口角度γは５０°であった。
【００４０】
（実施例３）
図１６に示しているように、左右の前身頃の中心線側縁端部３１５を湾曲させず、裾部から首部に向かって真っすぐ延びるようにした以外は、実施例２と同様にして、図１２〜１４に示すようなブルゾン型の空調衣服３００（ＪＡＳＰＯ規格Ｌサイズ）を作製した。空調衣服３００において、ポケット２０１は、脇側及裾側は衣服本体に縫着されており、中心側はファスナーで衣服本体に着脱可能に結合し、上部には脇側空気排出口及び中心側空気排出口が設けられていた。ポケット２０１の長さＬｙは２８ｃｍ（後中心丈Ｌｚの４０％）であり、幅Ｗｐは２２．５ｃｍ（後裾巾Ｗｚの３７．５％）であった。脇側空気排出口２０２の開口角度βは７０°であり、脇側長さＬｘは７ｃｍ（脇丈Ｌｗの２３％）であり、中心側空気排出口の開口角度γは５０°であった。
【００４１】
（比較例１）
ポケットを設けない以外は、実施例３と同様にしてブルゾン型の空調衣服３００（ＪＡＳＰＯ規格Ｌサイズ）を作製した。比較例１の空用衣服では、左右の前身頃の中心線側縁端部が湾曲せず、裾部から首部に向かって真っすぐ延びるようになっており、ポケットも有しない。
【００４２】
実施例１〜３及び比較例１の空調衣服を、風速計（日本カノマックス株式会社製「ＡＮＥＭＯＭＡＳＴＥＲ  ＭＯＤＥＬ６００４」を取り付けた人体型マネキン（七彩社製、品名「日本人の平均的人体寸法ダミー」）に着用させて、ファンを作動させた後、風速計で風速を測定した。具体的には、図１８Ａに示されているように、風速計４００をセンサーが前上部４０１（胸骨柄上端からの距離が１３ｃｍ）に位置するように配置し、同様に、図１８Ａ及び図１８Ｂに示されているように、風速計（図示なし）をセンサーが、前下部４０２（胸骨柄上端からの距離が３７．５ｃｍ）、後上部４０３（第七頸椎からの距離が１７．５ｃｍ）及び後下部４０４（第七頸椎からの距離が４３ｃｍ）に位置するように配置し、風速を計測した。その結果を下記表１に示した。
【００４３】
【表１】
2019011524.tif 000003
【００４４】
表１の結果から分かるように、実施例１〜３では、比較例１に比べて、後上への風速がほとんど変わらないうえ、前上への風速が早くなっており、人体の発汗が多い胸部及び背中上部に対して、効果的に空気を送付できていた。そのため、汗が気化しやすくなり、気化熱による冷却効果が向上し、汗によるべたつきが軽減される。比較例１は、後下の風速が他の部位と比べ圧倒的に高く、体全体を効果的に冷却する事ができないうえ、後下部分が膨らんでしまい、動きを阻害する。
【符号の説明】
【００４５】
１、２００、３００  空調衣服
２、３０１  衣服本体
３  空気取入れ口
４  風発生装置
５  電源装置
６  電力供給ケーブル
７  収納ポケット
８  結合部材
１１  肩折れ線
１２  襟ぐり線
１３  前中心線
１４  前中心線と直交する線
１５、３１５  前身頃の中心線側縁端部
２３  後中心線
３１  固定リング
２０１  ポケット
２０２  脇側空気排出口
２０３  中心側空気排出口
２０４  着脱手段
２１０  空気取入れ口の中心点
２１１、２１２  空気取入れ口の中心点と、脇側空気排出口と衣服本体との接点を結んだ線分
２１３、２１４  空気取入れ口の中心点と、中心側空気排出口と衣服本体との接点を結んだ線分
４００  風速計
４０１、４０２、４０３、４０４  センサー配置箇所
【図１】
2019011524.tif 000004
【図２】
2019011524.tif 000005
【図３】
2019011524.tif 000006
【図４】
2019011524.tif 000007
【図５】
2019011524.tif 000008
【図６】
2019011524.tif 000009
【図７】
2019011524.tif 000010
【図８】
2019011524.tif 000011
【図９】
2019011524.tif 000012
【図１０】
2019011524.tif 000013
【図１１】
2019011524.tif 000014
【図１２】
2019011524.tif 000015
【図１３】
2019011524.tif 000016
【図１４】
2019011524.tif 000017
【図１５】
2019011524.tif 000018
【図１６】
2019011524.tif 000019
【図１７】
2019011524.tif 000020
【図１８】
2019011524.tif 000021